(57)【要約】【課題】偏波モード分散を精度よく補償する光デバイスおよび方法を提供する。【解決手段】偏波コントローラ１は、入力光の一部の波長成分が第１の偏波状態になるように前記入力光の偏波状態を制御する。分光器２は、偏波コントローラ１から出力される光を複数の波長成分に分光する。偏波コントローラ３は、液晶変調素子を用いて複数の波長成分をそれぞれ第２の偏波状態に制御する。位相整形部４は、偏波コントローラ３により偏波状態が制御された各波長成分の位相をそれぞれ制御する。合波器５は、位相整形部４から出力される複数の波長成分を合波する。【選択図】図１
2010273039.tif 000002
【特許請求の範囲】
【請求項１】
入力光の一部の波長成分が第１の偏波状態になるように前記入力光の偏波状態を制御する第１の偏波コントローラと、
前記第１の偏波コントローラから出力される光を複数の波長成分に分光する分光器と、
液晶変調素子を用いて前記複数の波長成分をそれぞれ第２の偏波状態に制御する第２の偏波コントローラと、
前記第２の偏波コントローラから出力される複数の波長成分を合波する合波器、
を有する偏波コントローラ。
【請求項２】
請求項１に記載の偏波コントローラであって、
前記第１の偏波コントローラは、電気光学効果を利用して前記入力信号の波長成分の偏波状態を一括して制御する
ことを特徴とする偏波コントローラ。
【請求項３】
請求項１または２に記載の偏波コントローラであって、
前記複数の波長成分のストークスパラメータをモニタするモニタ部をさらに備え、
前記第１の偏波コントローラは、前記複数の波長成分の中の１つのストークスパラメータに基づいて、前記入力光の偏波状態を制御し、
前記第２の偏波コントローラは、前記複数の波長成分の各ストークスパラメータに基づいて、前記複数の波長成分の偏波状態をそれぞれ制御する
ことを特徴とする偏波コントローラ。
【請求項４】
請求項３に記載の偏波コントローラであって、
前記第１の偏波コントローラは、前記入力光の中心波長のストークスパラメータに基づいて、前記入力光の偏波状態を制御する
ことを特徴とする偏波コントローラ。
【請求項５】
請求項３に記載の偏波コントローラであって、
前記分光器と前記第２の偏波コントローラとの間に設けられ、前記複数の周波数成分を前記モニタ部に導く光スプリッタをさらに備える
ことを特徴とする偏波コントローラ。
【請求項６】
請求項３に記載の偏波コントローラであって、
前記分光器の入力側に設けられ、前記入力光を前記モニタ部に導く光スプリッタをさらに備える
ことを特徴とする偏波コントローラ。
【請求項７】
請求項１または２に記載の偏波コントローラであって、
前記複数の波長成分のストークスパラメータをモニタする第１のモニタ部と、
前記分光器の入力側または前記合波器の出力側に設けられる光スプリッタと、
前記光スプリッタにより分岐された光の偏波状態をモニタする第２のモニタ部、をさらに備え、
前記第１の偏波コントローラは、前記第２のモニタ部により検出された偏波状態に基づいて、前記入力光の偏波状態を制御し、
前記第２の偏波コントローラは、前記第１のモニタ部により得られる前記複数の波長成分の各ストークスパラメータに基づいて、前記複数の波長成分の偏波状態をそれぞれ制御する
ことを特徴とする偏波コントローラ。
【請求項８】
入力光の一部の波長成分が第１の偏波状態になるように前記入力光の偏波状態を制御する第１の偏波コントローラと、
前記第１の偏波コントローラから出力される光を複数の波長成分に分光する分光器と、
液晶変調素子を用いて前記複数の波長成分をそれぞれ第２の偏波状態に制御する第２の偏波コントローラと、
前記第２の偏波コントローラにより偏波状態が制御された各波長成分の位相をそれぞれ制御する位相制御部と、
前記位相制御部から出力される複数の波長成分を合波する合波器、
を有する偏波モード分散補償器。
【請求項９】
第１の偏波コントローラで、入力光の一部の波長成分が第１の偏波状態になるように、前記入力光の偏波状態を制御し、
前記第１の偏波コントローラから出力される光を複数の波長成分に分光し、
液晶変調素子を備える第２の偏波コントローラで、前記複数の波長成分をそれぞれ第２の偏波状態に制御し、
前記第２の偏波コントローラから出力される複数の波長成分を合波する
ことを特徴とする偏波制御方法。
【請求項１０】
請求項９に記載の方法であって、
前記第１の偏波コントローラは、第１の周期で前記入力光の偏波状態を制御し、
前記第２の偏波コントローラは、前記第１の周期よりも長い第２の周期で前記複数の波長成分の偏波状態を制御する
ことを特徴とする偏波制御方法。
【発明の詳細な説明】
【技術分野】
【０００１】
本発明は、偏波コントローラおよび偏波モード分散補償器に係わり、例えば、光ファイバ通信システムにおいて使用可能である。
【背景技術】
【０００２】
近年、光通信技術の高速化が進みつつあり、10Gbit/sシステムから40Gbit/sシステムへの移行が行われている。このため、今後は、40Gbit/sを越える通信システムで使用される光デバイスの開発が重要となってくる。
【０００３】
光通信において伝送レートの高速化が進むと、偏波モード分散（ＰＭＤ：Polarization Mode Dispersion）による信号波形の劣化が問題となる。偏波モード分散とは、光ファイバ中でコアの楕円化や内部応力に起因する複屈折要因により、光ファイバ中の互いに直交する２つのモード間に遅延（ＤＧＤ：Differential Group Delay）が発生する現象である。なお、光ファイバの偏波モード分散は、一般に、距離の平方根に比例する。また、偏波モード分散の許容値は、ビットレートに反比例する。このため、長距離高速伝送では、偏波モード分散を補償する機能が要求される。
【０００４】
偏波モード分散を補償する１つの構成として、偏波コントローラおよびＤＧＤ補償器を備えるＰＭＤ補償器が提案されている。しかし、この構成では、１次の偏波モード分散は補償されるが、２次以上の偏波モード分散を補償できない。（例えば、特許文献１）
偏波モード分散を補償する他の構成として、第１の偏波コントローラおよび群遅延時間差付与部を含む補償部、第２の偏波コントローラ、制御部を備える偏波モード分散補償装置が提案されている。群遅延時間差付与部は、第１の偏波コントローラの出力光に群遅延時間差を付与する。第２の偏波コントローラは、補償部の出力光の偏光状態を直線偏光に変換する。制御部は、第２の偏波コントローラから出力される直線偏光に直交する偏光の強度を最小化するように、補償部および第２の偏波コントローラを制御する。しかし、この構成でも、２次の偏波モード分散を完全には補償できない。（例えば、特許文献２）
偏波モード分散を補償するさらに他の構成として、分光器および液晶変調素子を備えるＰＭＤ補償器が提案されている。液晶偏光素子は、各周波数成分に対して独立して偏波を制御するので、１次の偏波モード分散および高次の偏波モード分散が適切に制御される。しかし、一般に、液晶変調素子の応答速度は遅いので、伝送路の偏波状態の変動が速い場合には、偏波モード分散を十分に補償できない。（例えば、非特許文献１）
なお、関連する技術として、特許文献３、４、および非特許文献２、３が提案されている。
【先行技術文献】
【特許文献】
【０００５】
【特許文献１】特開２００５−２６０３７０号
【特許文献２】国際公開ＷＯ２００４／０１３９９２号
【特許文献３】特表２００５−５０２２６５号
【特許文献４】国際公開ＷＯ２００４／０２９６９９号
【非特許文献】
【０００６】
【非特許文献１】H.Miao et.al, “All-Order PMD Compensation via VIPA Based Pulse Shaper”, OFC2008 OThG2 2008.
【非特許文献２】H.Miao et.al, “Feed-Forward Polarization-Mode Dispersion Compensation With Four Fixed Differential Group Delay Elements”, IEEE Photonics Technology Letters vol.16, No.4, April 2004, pp1056-1058
【非特許文献３】C.Xie et.al, “Dynamic Performance and Speed Requirement of Polarization Mode Dispersion Compensators”, Journal of Lightwave Technology, vol.24, No.11, November 2006, pp3968-3974
【発明の概要】
【発明が解決しようとする課題】
【０００７】
上述のように、従来技術では、偏波状態が高速に変化する場合には、高次の偏波モード分散を十分に補償できなかった。
本発明の課題は、伝送路の偏波モード分散を精度よく補償する光デバイスおよび方法を提供することである。
【課題を解決するための手段】
【０００８】
本発明の１つの態様の偏波コントローラは、入力光の一部の波長成分が第１の偏波状態になるように前記入力光の偏波状態を制御する第１の偏波コントローラと、前記第１の偏波コントローラから出力される光を複数の波長成分に分光する分光器と、液晶変調素子を用いて前記複数の波長成分をそれぞれ第２の偏波状態に制御する第２の偏波コントローラと、前記第２の偏波コントローラから出力される複数の波長成分を合波する合波器、を有する。
【０００９】
本発明の１つの態様の偏波モード分散補償器は、入力光の一部の波長成分が第１の偏波状態になるように前記入力光の偏波状態を制御する第１の偏波コントローラと、前記第１の偏波コントローラから出力される光を複数の波長成分に分光する分光器と、液晶変調素子を用いて前記複数の波長成分をそれぞれ第２の偏波状態に制御する第２の偏波コントローラと、前記第２の偏波コントローラにより偏波状態が制御された各波長成分の位相をそれぞれ制御する位相制御部と、前記位相制御部から出力される複数の波長成分を合波する合波器、を有する。
【発明の効果】
【００１０】
本発明の１つの態様によれば、伝送路の偏波モード分散を精度よく補償することができる。
【図面の簡単な説明】
【００１１】
【図１】第１の実施形態の偏波モード分散補償器の構成を示す図である。
【図２】１次および２次の偏波モード分散を示す図である。
【図３】偏波状態を制御する方法を説明する図（その１）である。
【図４】偏波状態を制御する方法を説明する図（その２）である。
【図５】光信号のスペクトルを示す図である。
【図６】偏波コントローラによる偏波変換を模式的に示す図である。
【図７】マトリックス位相変調素子の構成を示す図である。
【図８】マトリックス位相変調素子の液晶の方位を示す図である。
【図９】偏波モニタ部の実施例である。
【図１０】第１の実施形態の偏波モード分散補償器の変形例を示す図である。
【図１１】偏波モニタ部の他の構成を示す図である。
【図１２】第１の実施形態の偏波モード分散補償器の制御系を説明する図である。
【図１３】第１の実施形態の偏波モード分散補償器の制御方法を示すフローチャートである。
【図１４】第１の実施形態の偏波モード分散補償器の他の制御系を示す図である。
【図１５】第２の実施形態の偏波モード分散補償器の構成を示す図である。
【図１６】偏波モニタ部の実施例である。
【図１７】偏波モード分散を受けた光の偏波状態のポアンカレ球表示である。
【図１８】第２の実施形態の偏波モード分散補償器の制御系を説明する図である。
【図１９】シミュレーションモデルを示す図である。
【図２０】偏波状態の変化角度の分布を示す図である。
【図２１】偏波状態についてのシミュレーション結果を示す図である。
【図２２】実施形態の偏波コントローラの構成を示す図である。
【図２３】実施形態の偏波コントローラの適用例を示す図である。
【発明を実施するための形態】
【００１２】
図１は、第１の実施形態の偏波モード分散補償器の構成を示す図である。第１の実施形態の偏波モード分散補償器１００は、例えば、光通信システムの光中継局または光受信局に設けられ、光信号を伝送する光ファイバ伝送路に接続される。この場合、偏波モード分散補償器１００には、光ファイバ伝送路で劣化した光信号が入力される。
【００１３】
偏波モード分散補償器１００は、偏波コントローラ（ＥＯ−ＰＣ）１、分光器２、偏波コントローラ（ＬＣＭ）３、位相整形部４、合波器５を備える。偏波コントローラ１は、入力光の偏波状態を制御する。分光器２は、偏波コントローラ１から出力される光を複数の波長成分に分光する。偏波コントローラ３は、液晶変調素子を用いて複数の波長成分の偏波状態をそれぞれ制御する。位相整形部４は、偏波コントローラ３により偏波状態が制御された各波長成分の位相をそれぞれ制御する。そして、合波器５は、偏波状態および位相が制御された複数の波長成分を合波する。
【００１４】
上記構成において、偏波コントローラ１は、入力光の一部の波長成分が第１の偏波状態になるように、入力光の偏光状態を制御する。このとき、入力光の各波長成分の偏波状態は一括して制御される。また、偏波コントローラ３は、分光器２により得られる複数の波長成分をそれぞれ第２の偏光状態に制御する。すなわち、光信号の各波長成分の偏波状態が互いに同じになる。そして、位相整形部４は、偏波モード分散を補償するように、各波長成分の位相を制御する。このとき、各波長成分の偏波状態は揃っているので、偏波モード分散は精度良く補償される。
【００１５】
なお、上記構成の偏波モード分散補償器１００は、位相整形部４を取り除くと、偏波コントローラとして動作する。この場合、合波器５は、偏波コントローラ３から出力される複数の波長成分を合波する。
【００１６】
偏波モード分散補償器１００は、複数の波長成分の偏波状態をモニタする偏波モニタ部１１をさらに備えるようにしてもよい。偏波モニタ部１１は、ＤＳＰ等のプロセッサユニットを備えており、例えば、各波長成分のストークスパラメータをそれぞれ計算する。この場合、分光器２と偏波コントローラ３との間に光スプリッタ１２が設けられる。光スプリッタ１２は、分光器２により得られる複数の波長成分をそれぞれ分岐して偏波モニタ部１１に導く。なお、偏波モニタ部１１は、偏波コントローラ１と分光器２との間の光パスからタップされる光信号、または合波器４の出力側の光パスからタップされる光信号の偏波状態をモニタしてもよい。そして、偏波コントローラ１、３は、偏波モニタ部１１によるモニタ結果に応じて偏波状態を制御する。
【００１７】
次に、上記構成の偏波モード分散補償器１００による偏波モード分散の補償について説明する。ここでは、まず、偏波コントローラ１が存在しないものとする。なお、光ファイバ伝送路を介して伝送される光信号は、周波数空間で考えると、偏波モード状態の乱れおよび位相の乱れに起因して劣化する。よって、偏波モード分散により劣化した光信号は、下式で表されるものとする。
Ｅout（ω）＝Ｅin（ω）{ａ（ω）ｘ＋ｂ（ω）ｙ}
「Ｅin（ω）」は、偏波モード分散による劣化を受ける前の光電界を表す。「Ｅout（ω）」は、偏波モード分散による劣化した光電界を表す。「ｘ」および「ｙ」は、それぞれ、Ｘ偏光およびＹ偏光を表す。「ａ（ω）」および「ｂ（ω）」は、それぞれＸ偏光成分およびＹ偏光成分の強度と位相の情報を含んでいる。
【００１８】
偏波コントローラ３は、劣化した光信号の各波長成分（すなわち、各周波数成分）に対して偏波制御を行う。このとき、偏波コントローラ３は、各周波数成分の偏波状態が互いに同じになるように偏波制御を行う。ここで、各周波数成分の偏波状態をＸ方向に揃えるものとする。そうすると、偏波コントローラ３から出力される光信号Ｅout2（ω）は、下式で表される。
Ｅout2（ω）＝Ｅin（ω）exp（−jψ（ω））ｘ
【００１９】
このように、偏波コントローラ３から出力される光信号は、周波数ごとに位相が異なる項「ψ（ω）」を含むので、波形劣化は残っている。したがって、位相整形部４は、周波数に依存する位相差を補償する。すなわち、位相整形部４は、各周波数成分の位相を互いに同じに制御する。この結果、位相整形部４から出力される光信号Ｅout3（ω）は、下式で表される。
Ｅout3（ω）＝Ｅin（ω）ｘ
【００２０】
ここで、位相整形部４により調整される位相「ψ（ω）」は、１次および高次の偏波モード分散と相関を持ち、近似的に下式で表される。τ1 およびτ2 は、それぞれ１次および２次の偏波モード分散の絶対値である。なお、１次および２次の偏波モード分散は、図２に示す通りである。
ψ（ω）＝τ1 ω＋0.5 τ2 ω2 ＋・・・
【００２１】
このように、実施形態の偏波モード分散補償器１００においては、液晶変調素子を備える偏波コントローラ３により各周波数成分の偏波状態が揃えられた後、位相整形部４により各周波数成分の位相が揃えられる。ここで、１次および高次の偏波モード分散は、位相整形部４により制御される位相と相関を持っている。したがって、実施形態の構成によれば、１次および高次の偏波モード分散が完全に補償される。
【００２２】
ただし、偏波コントローラ３は、液晶変調素子を利用するので、応答速度が遅い。このため、伝送路の偏波変動が高速である場合には、偏波コントローラ３の液晶変調素子は偏波変動に追従できず、各周波数成分の偏波状態を揃えることはできない。
【００２３】
ところで、伝送路の偏波状態の変動は高速であるが、偏波状態の波長依存性はゆっくりと変化する。すなわち、十分に短い時間内では、伝送路の偏波状態の波長依存性は実質的に変化しない。実施形態の偏波モード分散補償器１００は、この特性を利用して偏波状態を制御する。
【００２４】
図３および図４は、偏波モード分散補償器１００において偏波状態を制御する方法を説明する図である。ここでは、偏波モード分散補償器１００に入力する光信号は、図５に示すように、所定の周波数幅を持っているものとする。この光信号は、例えば、ＷＤＭ信号の１つのチャネルに相当する。そして、分光器２は、この光信号を複数の波長成分に分光する。以下では、説明を簡単にするために、３つの波長成分λc 、λ1 、λ2 について説明する。なお、λc は、光信号の中心波長である。λ1 はλc よりも短く、λ2 はλc よりも長い。
【００２５】
なお、図３および図４において、各矢印は、それぞれ対応する波長成分のポアンカレ空間における偏波状態を示している。すなわち、偏波状態が異なると、矢印の方位が異なることになる。
【００２６】
伝送路の偏波モード分散は、波長に依存する。このため、入力光信号の各波長成分の偏波状態は、互いに異なっている。図３に示す例では、時刻ｔ1 における各波長成分の偏波状態は以下の通りである。
波長成分λc ：０°
波長成分λ1 ：λc に対してαだけシフト
波長成分λ2 ：λc に対して−βだけシフト
【００２７】
また、伝送路の偏波状態は、時々刻々と変動する。図３に示す例では、時刻ｔ2 における各波長成分の偏波状態は以下の通りである。
波長成分λc ：９０°
波長成分λ1 ：λc に対してαだけシフト
波長成分λ2 ：λc に対して−βだけシフト
さらに、時刻ｔ3 、ｔ4 、．．．においても偏波状態は変化していく。
【００２８】
しかし、十分に短い時間では、伝送路の偏波状態の波長依存性は実質的に変化しない。すなわち、図３においてΔｔが十分に短い（例えば、１ｍ秒よりも短い）ものとすると、波長間での偏波状態の差分は変化しない。この実施例では、時刻ｔ1 〜ｔ4 において、波長成分λc 、λ1 間の偏波状態の差分はαのままであり、波長成分λc 、λ2 間の偏波状態の差分はβのままである。
【００２９】
偏波コントローラ１は、入力光信号の偏波状態を一括して制御する。このとき、偏波コントローラ１は、例えば、波長λcの偏波状態が「０°」になるように、光信号の偏波状態を一括して制御する。そうすると、時刻ｔ1 〜ｔ4 において、偏波コントローラ１から出力される光信号の偏波状態は、一定である。すなわち、時刻ｔ1 〜ｔ4 における各波長成分の偏波状態は以下の通りである。
波長成分λc ：０°
波長成分λ1 ：α
波長成分λ2 ：−β
【００３０】
なお、偏波コントローラ１は、例えば、電気光学効果を利用する導波路型の偏波コントローラであり、応答速度は極めて速い。したがって、図３に示す時刻ｔ1 〜ｔ4 において伝送路の偏波状態が変化しても、その変化分を補償することができる。すなわち、偏波コントローラ１は、光信号の偏波を一定の状態に制御することができる。
【００３１】
偏波コントローラ１により偏光状態が制御された光信号は、分光器２により複数の波長成分に分光され、偏波コントローラ３に導かれる。そして、偏波コントローラ３は、波長成分ごとに偏波状態を制御する。
【００３２】
偏波コントローラ３は、波長成分λc 、λ1 、λ2 の偏波状態を揃える。図３に示す実施例では、偏波コントローラ３は、波長成分λc、λ1、λ2の偏波状態を「０°」に制御する。この場合、偏波コントローラ３は、各波長成分に対して下記の制御を行う。
波長成分λc ：０
波長成分λ1 ：−α
波長成分λ2 ：＋β
【００３３】
偏波コントローラ３は、上述したように、液晶変調素子を利用するので、応答速度が遅い。しかし、実施形態の偏波モード分散補償器１００においては、液晶変調素子の応答時間に比べて十分に短い時間では、光信号の各波長成分の偏波は、偏波コントローラ１により一定の状態に制御されている。したがって、偏波コントローラ３は、この短い時間内においては、各波長成分に対して一定の制御を行えばよいことになる。
【００３４】
図４に示す例では、時刻ｔ2 から時刻ｔn までの期間に、偏波状態の波長依存特性が変化している。例えば、時刻ｔnにおける各波長成分の偏波状態は、以下の通りである。なお、時刻ｔ2 から時刻ｔn までの期間は、液晶変調素子の応答時間と比べて十分に長いものとする。
波長成分λc ：０°
波長成分λ1 ：λc に対してα2 だけシフト
波長成分λ2 ：λc に対して−β2 だけシフト
すなわち、この実施例では、期間ｔ1 〜ｔn において、波長λc 、λ1 間の偏波状態の差分は「α」から「α2 」へゆっくりと変化し、波長λc 、λ2 間の偏波状態の差分は「β」から「β2 」へゆっくりと変化している。
【００３５】
偏波コントローラ１は、上述の説明と同様に、波長λc の偏波状態が「０°」になるように、光信号の偏波状態を一括して制御する。そして、偏波コントローラ３は、各波長成分の偏波状態を揃える。すなわち、偏波コントローラ３は、時刻ｔn において各波長成分に対して下記の制御を行う。
波長成分λc ：０
波長成分λ1 ：−α2 
波長成分λ2 ：＋β2 
【００３６】
このように、時刻ｔn における偏波コントローラ３の偏波制御は、時刻ｔ1 における偏波制御とは異なっている。ところが、期間ｔ1 〜ｔn は、液晶変調素子の応答時間と比べて十分に長い。このため、偏波コントローラ３は、期間ｔ1 〜ｔn において、液晶変調素子の状態を「波長成分λc ：０、波長成分λ1 ：−α、波長成分λ2 ：＋β」から「波長成分λc ：０、波長成分λ1 ：−α2 、波長成分λ2 ：＋β2 」に徐々に変えていくことができる。したがって、実施形態の偏波モード分散補償器１００においては、伝送路の偏波状態の波長依存性が変動しても、各波長成分の偏波状態を揃えることができる。
【００３７】
図６は、偏波コントローラ１、３による偏波変換を模式的に示す図である。偏波コントローラ（ＥＯ−ＰＣ）１は、波長一括で偏波を制御するので、各波長間の相関は維持される。したがって、偏波コントローラ（ＥＯ−ＰＣ）１を用いて偏波制御を行えば、入力光信号の偏波状態を、伝送路が変動する前の状態に戻すことができる。このため、波長間の相関関係を調整する偏波コントローラ（ＬＣＭ）３は、低速制御で良い。
【００３８】
次に、偏波モード分散補償器１００が備える各要素について説明する。
偏波コントローラ１は、例えば、ＬＮ（LiNbO3）基板を利用して形成される導波路型偏波コントローラである。なお、ＬＮ導波路型偏波コントローラの応答速度は、100ns 程度であり、伝送路の偏波状態の変動に追従することができる。ＬＮ導波路型偏波コントローラは、特に限定されるものではないが、例えば、電圧駆動で光学軸が調整される1/4 波長板、1/2 波長板、1/4 波長板を縦続接続することにより実現される。この場合、各波長板に印加される駆動電圧を調整することにより、所望の偏波状態が得られる。なお、上記構成の偏波コントローラは、例えば、下記の文献に記載されている。
文献：土居正治他、「ＰＭＤＣ用８ｃｈLiNbO3導波路型偏波制御器＆可変ＤＧＤ光回路」２００８年電気情報通信学会総合大会 C-3-58 2008
【００３９】
偏波コントローラ１は、ＬＮ導波路型偏波コントローラに限定されるものではなく、例えば、応答速度が１ms以下であり、且つ、所定のスペクトル幅の光信号の偏波状態を一括して制御できる高速偏波コントローラを使用することができる。すなわち、例えば、偏波コントローラ１は、電気光学効果を有する結晶（ＰＬＺＴ等）を用いるバルク型電気光学偏波コントローラにより実現されてもよい。また、偏波コントローラ１は、磁気光学効果を利用する構成（例えば、ファラデー回転子）で実現されてもよい。
【００４０】
分光器２は、入力光を複数の波長成分に分光する。分光器２は、特に限定されるものではないが、例えば、回折格子あるいはＶＩＰＡ（Virtually Imaged Phased-Array）を利用して実現される。
【００４１】
偏波コントローラ３は、液晶変調素子を備える面型の偏波コントローラである。また、偏波コントローラ３は、例えば、ネマチック液晶を使用するマトリックス位相変調素子を２層以上集積することにより実現される。この場合、例えば、２層の液晶の方位をそれぞれ「０°」「９０°」に設定すれば、ポアンカレ球（Poincare sphere）上のすべての偏波状態を得ることができる。また、偏波制御において無限追従を実現するためには、３層または４層の液晶変調素子を使用する構成が望ましい。位相整形部４は、ネマチック液晶を使用するマトリックス位相変調素子を１層または複数層使用することによって実現される。
【００４２】
図７は、偏波コントローラ３または位相整形部４を実現するマトリックス位相変調素子の構成を示す図である。ここでは、１層分のマトリックス位相変調素子が描かれている。
マトリックス位相変調素子は、１組のガラス基板の間に、入力側電極、液晶セル、出力側電極を設けることにより形成される。ここで、液晶セルは、入力側電極と出力側電極との間に設けられる。また、入力側電極および出力側電極は、いずれも透明電極である。
【００４３】
マトリックス位相変調素子は、複数の液晶セルを備える。ここで、光信号が分光器２により波長成分λ1〜λnに分光される場合、マトリックス位相変調素子は、波長成分λ1〜λnに対応する液晶セルＣ1〜Ｃnを備える。また、複数の液晶セルは、周波数分離方向に並べられている。なお、周波数分離方向とは、分光により周波数空間に分かれた光が分布する方向を表す。そして、各波長成分λ1〜λnは、それぞれ対応する液晶セルＣ1〜Ｃnに導かれる。
【００４４】
各液晶セルに対してそれぞれ入力側電極（電極ピクセル）が設けられる。一方、出力側電極は、複数の液晶セルにより共用される。そして、電極ピクセルに印加する駆動電圧を制御することにより、対応する液晶セルの方位を調整することができる。ここで、各電極ピクセルに印加する駆動電圧は、互いに独立して制御することができる。したがって、各液晶セルは、電極ピクセルの駆動電圧を利用して、光の位相を互いに独立して調整することができる。すなわち、各電極ピクセルは、独立した位相調整器（retardation plate）として働く。なお、液晶セルは、一般に、電圧を調整することにより２πよりも大きな位相を調整することができる。
【００４５】
図８は、マトリックス位相変調素子の液晶の方位を示す図である。液晶は、長軸方向の分子であり、配向している方向（矢印が示す方向）に複屈折率を持つ。図８に示す実施例では、駆動電圧がゼロであるときに、第１層の変調素子の各液晶セルの配向は「０°」であり、第２層の変調素子の各液晶セルの配向は「４５°」である。そして、第１層および第２層の各液晶セルの配向は、駆動電圧を大きくするにつれて、図８の紙面に対して垂直な方向に傾いてゆく。すなわち、第１層の液晶セルは０°の位相調整器として働き、第２層の液晶セルが４５°の位相調整器として働く。
【００４６】
偏波コントローラ２は、２層以上のマトリックス位相変調素子を備え、各波長成分が通過する各層の液晶セルの駆動電圧を適切に制御することにより、各波長成分の偏波を所望の状態に調整することができる。また、位相整形部４は、１層以上のマトリックス位相変調素子を備え、各波長成分が通過する各層の液晶セルの駆動電圧を適切に制御することにより、各波長成分の位相を所望の状態に調整することができる。
【００４７】
図９は、偏波モニタ部１１の実施例を示す。偏波モニタ部１１には、光スプリッタ１２により分岐された波長成分λ1 〜λn が入力される。そして、偏波モニタ部１１は、各波長成分の偏波状態をそれぞれモニタする。
【００４８】
偏波モニタ部１１は、集積偏光板アレイ２１、ＰＤアレイ２２、Ａ／Ｄ変換器２３、プロセッサ２４を備える。集積偏光板アレイ２１は、波長成分λ1〜λnがそれぞれ入力される複数の集積偏光板を備える。各集積偏光板は、特に限定されるものではないが、例えば、４つの偏光子（０°、４５°、９０°、４５°）を備え、一方の４５°偏光子の入力側に1/4波長板が設けられる。この構成により、各波長成分λ1〜λnについて、４偏波強度観測を行うことができる。なお、集積偏光板については、例えば、下記の文献に記載されている。
文献：橋本直樹他、「小型・高精度フォトニック結晶偏波モニタ」２００５年電気情報通信学会総合大会C-3-112 2005
【００４９】
ＰＤアレイ２２は、集積偏光板アレイ２１の出力側に設けられ、波長成分λ1 〜λn を電気信号に変換するための複数の受光素子を備えている。受光素子は、例えば、フォトダイオードである。Ａ／Ｄ変換器２３は、ＰＤアレイ２２から出力される電気信号をデジタルデータに変換する。このデジタルデータは、各波長成分λ1〜λnの４偏波（例えば、０°、４５°、９０°、円偏光）を表す。
【００５０】
プロセッサ２４は、Ａ／Ｄ変換器２３により得られるデジタルデータに基づいて、各波長成分λ1〜λnについてストークスパラメータを計算する。ストークスパラメータは、光信号の偏波状態を表す。すなわち、プロセッサ２４は、ストークスパラメータを利用して、各波長成分λ1 〜λn の偏波状態を検出する。
【００５１】
なお、上述の実施例では、分光器２から出力される波長成分λ1 〜λn が光スプリッタ１２により分岐されて偏波モニタ部１１に導かれているが、図１０に示すように、分光器２の入力側で分岐される光信号を偏波モニタ部に導くようにしてもよい。この場合、光スプリッタ１３は、偏波コントローラ１と分光器２との間に設けられ、偏波コントローラ１により偏波が制御された光信号を分岐して偏波モニタ部１１に導く。
【００５２】
この場合、偏波モニタ部１１は、分光器２と同等の分光器を備えるようにしてもよい。すなわち、光スプリッタ１３により分岐された光信号は、偏波モニタ部１１の内部で波長成分λ1 〜λn に分光される。なお、一般に、分光器により得られる光波は、ビームが広がる。よって、偏波モニタ部１１の内部に分光器を備える構成では、ビームの広がりが抑制されるので、各波長成分の偏波状態をより精度よくモニタすることができる。
【００５３】
図１０に示す構成において使用される偏波モニタ部１１は、分光器を備える場合には、図９に示す構成と同様に、集積偏光板アレイ２１、ＰＤアレイ２２、Ａ／Ｄ変換器２３、プロセッサ２４を備える。この場合、偏波モニタ部の動作は、基本的に、図９を参照しながら説明した通りである。
【００５４】
図１１は、図１０に示す構成において使用される偏波モニタ部１１の他の実施例を示す図である。図１１（ａ）に示す構成では、偏波モニタ部１１は、チューナブルフィルタ２５、集積偏光板２６、ＰＤ素子２７を備える。チューナブルフィルタ２５は、時間分割多重方式で、波長成分λ1 〜λn を順番に抽出する。チューナブルフィルタ２５は、高速動作が可能であり、数ＧＨｚの狭帯域であることが好ましい。よって、チューナブルフィルタ２５は、例えば、ＥＯ結晶で作成されたエタロン型フィルタなどで実現される。集積偏光板２６は、チューナブルフィルタ２５により抽出される波長成分について上述した４偏波を生成する。そして、ＰＤ素子２７は、集積偏光板２６により得られる４偏波を電気信号に変換する。なお、プロセッサ２４は、上述したように、波長成分ごとにストークスパラメータを計算する。この構成によれば、分光器が不要であり、また、受光回路はアレイ素子を備えていないので、受光回路のコストが削減される。
【００５５】
図１１（ｂ）に示す構成では、偏波モニタ部１１は、回転波長板２８、偏波ビームスプリッタ（ＰＢＳ）２９、分光器３０、ＰＤアレイ２２を備える。回転波長板２８は、例えば、強誘電性液晶で構成された方位切替えが可能な1/4 波長板を２つ組み合わせることにより実現される。なお、回転波長板２８は、μ秒オーダでの高速応答が可能であることが好ましい。そして、回転波長板２８の回転角を制御することにより、上述した４偏波が順番に生成される。なお、プロセッサ２４は、上述したように、波長成分ごとにストークスパラメータを計算する。この構成によれば、集積偏光板または集積偏光板アレイを設けることなく、各波長成分の偏波状態をモニタできる。
【００５６】
図１２は、第１の実施形態の偏波モード分散補償器の制御系を説明する図である。ここでは、分光器２の出力光が分岐されて偏波モニタ部１１に導かれるものとする。また、図１２では、分光器２から合波器５へ至る光パスが１本の線で描かれているが、実際には、空間的に分離された波長成分λ1 〜λn が自由空間伝送される。
【００５７】
偏波モニタ部１１は、上述したように、波長成分λ1 〜λn の偏波状態を検出する。すなわち、偏波モニタ部１１は、所定の周期で波長成分λ1 〜λn のストークスパラメータを計算する。このとき、ストークスパラメータを計算する周期は、１ｍ秒以下であることが好ましい。そして、偏波モニタ部１１は、計算したストークスパラメータに基づいて、偏波コントローラ１、３を制御する。
【００５８】
偏波コントローラ１は、入力光信号のスペクトルに含まれるある波長成分（例えば、中心波長λc ）の偏波が予め決められた第１の目標偏波状態になるように、その光信号の偏光状態を一括して制御する。すなわち、偏波モニタ部１１は、光信号の中心波長のストークスパラメータが第１の目標偏波状態を表すように、偏波コントローラ１を制御する。このとき、偏波モニタ部１１は、例えば、ディザリング法を利用して、偏波コントローラ１に与える駆動電圧をフィードバック制御する。
【００５９】
偏波コントローラ３は、各波長成分λ1 〜λn の偏波を、同じ偏波状態に制御する。すなわち、偏波モニタ部１１は、光信号の各波長成分λ1〜λnのストークスパラメータがいずれも第２の目標偏波状態を表すように、偏波コントローラ３の各マトリックス位相変調素子を制御する。このとき、偏波モニタ部１１は、例えば、偏波コントローラ３の各液晶変調素子に印加する電圧をフィードフォワードで制御する。なお、第１および第２の目標偏波状態は、互いに同じであってもよいし、互いに異なっていてもよい。
【００６０】
補償制御部３１は、特に図示しないが、受光素子、Ａ／Ｄ変換器、プロセッサを備えている。受光素子は、例えばフォトダイオードであり、合波器５から出力される光信号を電気信号に変換する。Ａ／Ｄ変換器は、受光素子の出力信号をデジタルデータに変換する。このデジタルデータは、偏波モード分散補償器１００の出力信号を表す。そして、プロセッサは、このデジタルデータを利用して、周波数依存性が補償されるように、位相整形部４を制御する。このとき、補償制御部３１は、例えば、位相整形部４の各液晶変調素子に印加する電圧をフィードバック制御する。なお、補償制御部３１が使用するプロセッサの機能は、上述したプロセッサ２４により提供されてもよい。
【００６１】
位相整形部４は、補償制御部３１の制御に従って、各波長成分の位相を調整する。ここで、位相の周波数依存性は、伝送路の偏波モード分散に依存する。したがって、補償制御部３１は、例えば、ＧＳ（Gerchberg-Saxton）アルゴリズムを利用して、偏波モード分散補償器１００の出力信号の時間波形をモニタし、その時間波形が最適化（例えば、パルス幅を狭くする）されるように、位相整形部４を制御する。なお、補償制御部３１は、自己相関干渉計（オートコリレータ）を利用して時間波形をモニタするようにしてもよい。また、補償制御部３１は、ＦＲＯＧ（Frequency-Resolved Optical Gating）と呼ばれる周波数空間での干渉計を用いて時間波形をモニタしてもよい。
【００６２】
なお、位相をモニタおよび制御する手順は、例えば、下記の文献に記載されている短パルスレーザモニタ技術を利用することができる。
文献：M.Akbulut et.al, “Broadband All-Order Polarization Mode Dispersion Compensation Using Liquid-Crystal Modulator Array”, Journal of Lightwave Technology, vol.24, No.1, pp251-261, 2006.
ＧＳアルゴリズムについては、例えば、下記の文献に記載されている。
文献：A. Rundquist et al., “Pulse Shaping with the Gerchberg-Saxton algorithm”, J. Opt. Soc. Am. B/Vol.19, No.10, pp2468-2478, October 2002, 
ＦＲＯＧ法については、例えば、下記の文献に記載されている。
文献：H.Miao et al., “Broadband All-Order Polarization Mode Dispersion Compensation”, OFC2007, OTuN2 2007
【００６３】
図１３は、第１の実施形態の偏波モード分散補償器の制御方法を示すフローチャートである。このフローチャートの処理は、偏波モニタ部１１および補償制御部３１が備えるプロセッサにより実行される。
【００６４】
ステップＳ１〜Ｓ２は、伝送路の偏波状態の変動に十分に追従できる周期（ここでは、１ｍ秒よりも短い周期）で繰り返し実行される。偏波モニタ部１１は、この実施例では、光信号の中心波長λcのストークスパラメータをモニタする。そして、偏波モニタ１１部は、そのストークスパラメータが目標偏波状態を表すように、偏波コントローラ１を調整する。
【００６５】
ステップＳ１１〜Ｓ１４は、液晶変調素子の応答速度よりも遅い周期（例えば、１〜100ｍ秒）で繰り返し実行される。ここでは、例えば、１０ｍ秒の周期で実行されるものとする。ステップＳ１１において、偏波モニタ部１１は、光信号の各波長成分λ1 〜λn の偏波状態をモニタする。なお、ステップＳ２において各波長成分λ1 〜λn のストークスパラメータが計算される場合には、ステップＳ１１においてその計算結果を利用するようにしてもよい。そして、ステップＳ１２において、偏波モニタ部１１は、波長成分λ1 〜λn の偏波状態が互いに同じになるように、偏波コントローラ３の各液晶変調素子を制御する。
【００６６】
ステップＳ１３において、補償制御部３１は、偏波モード分散補償器から出力される光信号の時間波形をモニタする。そして、補償制御部３１は、その時間波形が最適化されるように、位相整形部４の各液晶変調素子を制御する。なお、ステップＳ１１〜Ｓ１２の実行周期と、ステップＳ１３〜Ｓ１４の実行周期は、互いに同じであってもよいし、互いに異なっていてもよい。
【００６７】
上記制御方法において、偏波モニタ部１１は、偏波コントローラ１の制御周期で中心波長λc のみの偏波状態を検出し、偏波コントローラ３の制御周期で全波長成分λ1 〜λn の偏波状態を検出するようにしてもよい。この場合、偏波状態を検出するための演算（この実施例では、ストークスパラメータを算出する演算）を少なくすることができる。あるいは、偏波モニタ部１１は、偏波コントローラ１の制御周期で全波長成分λ1 〜λn の偏波状態を検出してもよい。この場合、中心波長λc についての検出結果が偏波コントローラ１を制御するために使用される。
【００６８】
図１４は、第１の実施形態の偏波モード分散補償器の他の制御系を示す図である。この制御系は、例えば、伝送路の偏波モード分散が一様に分布している場合に使用される。伝送路の偏波モード分散が一様に分布しているときは、各波長成分の偏波状態（すなわち、ストークスパラメータ）から各波長成分の偏波モード分散を計算し、その計算結果に応じて位相差を補償することができる。したがって、この構成においては、偏波モニタ部１１が、各波長成分のストークスパラメータに基づいて、位相整形部４の各液晶変調素子を制御する。
【００６９】
図１５は、第２の実施形態の偏波モード分散補償器の構成を示す図である。第２の実施形態の偏波モード分散補償器２００は、光スプリッタ５１および偏波モニタ部５２を備える。光スプリッタ５１は、合波後の光信号の一部を分岐して偏波モニタ部５２に導く。そして、偏波モニタ部５２は、合波後の光信号の偏波状態をモニタする。なお、偏波モニタ部５２は、偏波コントローラ１と分光器２との間の光パスから分岐した光信号の偏波状態をモニタするようにしてもよい。
【００７０】
伝送路の偏波変動が高速な場合は、偏波コントローラ１の調整速度は数１００μ秒程度が要求されることがある。他方、偏波コントローラ１は、光信号の１つの波長成分（例えば、中心波長）の偏波状態に基づいて制御される。そして、第２の実施形態では、より簡易な構成で偏波状態が検出される。
【００７１】
偏波モニタ部５２は、例えば図１６（ａ）に示すように、光パワーメータ５２ａにより実現される。この場合、光スプリッタ５１は、偏波ビームスプリッタ（ＰＢＳ）である。ここで、例えば、偏波モード分散補償器の出力光が４５°の直線偏光に制御される場合には、偏波ビームスプリッタ５１は、４５°偏光成分を透過し、他の偏光成分を光パワーメータ５２ａに導く。この場合、光パワーメータ５２ａで検出される光パワーが最小になるようにフィードバックすれば、偏波コントローラ１は最適点に制御される。
【００７２】
偏波モニタ部５２は、図１６（ｂ）に示すように、ＤＯＰ（Degree Of Polarization）モニタ５２ｂにより実現されてもよい。この場合、光スプリッタ５１は、出力光の一部を分岐してＤＯＰモニタ５２ｂに導く。そして、ＤＯＰモニタ５２ｂによるモニタ結果からストークスパラメータを算出することができる。このとき、算出したストークスパラメータが目標偏波状態になるように、偏波コントローラ１が制御される。あるいは、ＤＯＰ値が最大になるようにフィードバック制御を行うようにしてもよい。なお、単一周波数ＤＯＰモニタとして、１０μ秒程度の高速動作が可能な構成が知られている。
【００７３】
光スプリッタ５１とＤＯＰモニタ５２ｂとの間に、図１６（ｃ）に示すように、バンドパスフィルタ５３を備えるようにしてもよい。この場合、バンドパスフィルタ５３は、光信号の中心波長λcを抽出する。この構成によれば、光信号の中心波長λcの偏波状態を精度よく検出できる。
【００７４】
ただし、光信号のスペクトルは、通常、例えば図５に示すように、中心波長で強度が最大になる。このため、図１６（ｂ）に示すように、バンドパスフィルタを備えない構成であっても、実質的に、光信号の中心波長付近の偏波状態が検出される。
【００７５】
図１７は、偏波モード分散を受けた光の偏波状態を表すシミュレーション結果を示している。偏波状態は、ポアンカレ球上に表されている。このシミュレーションにおいては、入力信号の周波数スペクトル幅は80GHzであり、伝送路の平均ＤＧＤは６psである。また、○印は、各周波数成分（波長成分）の偏波状態を表している。
【００７６】
変調スペクトル内の各周波数の偏波状態は、偏波モード分散を受けた後も完全にランダムではなく、周波数間で相関がある。すなわち、出力光の偏波状態は、周波数に対して順番に分布し、隣り合う周波数成分は近い偏波状態を持つ。
【００７７】
図１８は、第２の実施形態の偏波モード分散補償器の制御系を説明する図である。第２の実施形態では、合波後の光信号または分光前の光信号の偏波状態に基づいて、偏波コントローラ１が制御される。ただし、制御手順は、基本的に、図１３に示すフローチャートに従う。
【００７８】
＜実施形態の構成による効果＞
図１９は、シミュレーションモデルを示す図である。シミュレーションモデルでは、伝送路の偏波モード分散は、複数の回転する複屈折率エレメントｉ（ｉ＝１〜Ｎ）によりエミュレートされる。複屈折率エレメントｉの方位は「ベクトルｖi 」、ＤＧＤは「τi 」である。そして、各複屈折率エレメントがそれぞれ時間領域でランダムに微小角度回転するものとする。
【００７９】
図２０は、偏波状態の変化角度の分布を示す図である。このシミュレーション結果は、図１９に示すモデルにおいて、各複屈折率エレメントのＤＧＤが0.5 psであり、Ｎが１００である場合に得られたものである。図２０に示すグラフは、所定時間経過後における偏波状態（ＳＯＰ：State Of Polarization）の変化角度の発生頻度を表している。このシミュレーションによれば、偏波状態が２°程度変化する確率が高くなっている。ここで、上述した非特許文献３には、偏波状態の変動が速い伝送路で１ｍ秒の間に２〜３°のＳＯＰの変化が起こり、１ｍ秒以内に偏波制御を行う必要があることが記載されている。すなわち、図２０に示すシミュレーションは、ＳＯＰ変動が速い伝送路における１ｍ秒後の状態を示していると考えることができる。したがって、以下では、この状態を基準にして実施形態の構成の効果を見積もる。
【００８０】
図２１は、偏波状態についてのシミュレーション結果を示す図である。ここでは、偏波モード分散補償器に入力される光信号、および偏波コントローラ１、３により偏波が制御された光信号の偏波状態がポアンカレ球上に表されている。ここで、入力光信号においては、伝送路の偏波モード分散により各波長成分の偏波状態は互いに大きく異なっている。なお、偏波コントローラ１は、１ｍ秒よりも短い周期で入力光信号の偏波状態を制御し、偏波コントローラ３は、３ｍ秒周期で各波長成分の偏波状態を制御するものとする。
【００８１】
ここで、偏波モード分散補償器が偏波コントローラ１を備えないものとする。そうすると、波長成分λ1 〜λn の偏波状態の変動幅は約5.5 °となる（特性Ａ）。一方、実施形態の偏波モード分散補償器によれば、波長成分λ1〜λnの偏波状態の変動幅は約0.8 °度となる（特性Ｂ）。
【００８２】
このように、実施形態の偏波モード分散補償器によれば、波長に依存する偏波状態の変動幅を小さくできるので、１次および高次の偏波モード分散を十分に補償することができる。
【００８３】
＜偏波コントローラ＞
図２２は、実施形態の偏波コントローラの構成を示す図である。実施形態の偏波コントローラ３００は、偏波コントローラ１、分光器２、偏波コントローラ３、合波器５、偏波モニタ部１１、光スプリッタ１２を備える。これらの回路要素１〜３、５、１１、１２の構成および動作は、基本的に、図１、図３、図４等を参照しながら説明した通りである。ここで、偏波コントローラ３００は、位相整形部４を備えていない。すなわち、偏波コントローラ３００は、波長成分λ1〜λnの偏波状態を揃えた後にそれらを合波して出力する。
【００８４】
図２３は、実施形態の偏波コントローラ３００の適用例を示す図である。この実施例では、偏波コントローラ３００は、ＯＳＮＲ（Optical Signal-to-Noise Ratio）モニタ回路として使用される。ＯＳＮＲモニタ回路は、偏波コントローラ３００、偏波ビームスプリッタ（ＰＢＳ）３０１、光パワーメータ３０２ａ、３０２ｂを備える。
【００８５】
偏波コントローラ３００は、例えば、各波長成分の偏波を４５°に揃えた後に合波して出力する。この場合、偏波ビームスプリッタ３０１は、４５°偏光を光パワーメータ３０２ａに導き、他の光成分を光パワーメータ３０２ｂに導く。そうすると、光パワーメータ３０２ａは「Ｓ＋Ｎ／２」を検出し、光パワーメータ３０２ｂは「Ｎ／２」を検出する。ここで、「Ｓ」は信号光のパワーを表し、「Ｎ」はノイズ成分のパワーを表す。したがって、光パワーメータ３０２ａ、３０２ｂを利用してＯＳＮＲを計算することができる。
【００８６】
伝送路の偏波が偏波モード分散などにより変調スペクトル内の波長成分において異なる偏波状態を有するときは、偏光子だけではノイズ成分を完全には分離できない。この問題は、例えば、数GHz程度の狭い帯域を持つバンドパスフィルタを利用すれな解決可能である。しかし、このようなフィルタは高価である。
【００８７】
これに対して、実施形態の偏波コントローラを備えるＯＳＮＲモニタにおいては、光信号の各波長成分の偏光は精度よく揃っているので、完全にランダムな偏光であるノイズ成分を分離することができる。したがって、上記構成のＯＳＮＲモニタを使用すれば、実際の伝送路のように光信号の各波長成分が高速に偏波変動する場合であっても、ＯＳＮＲを精度よく測定することができる。
【００８８】
また、実施形態の偏波コントローラ３００は、例えば、偏波多重伝送システムにおいて偏波多重信号を分離する受信機にも適用可能である。この場合、偏波多重信号を精度よく分離することができ、ビットエラー率を改善することができる。
【符号の説明】
【００８９】
１      偏波コントローラ（ＥＯ−ＰＣ）
２      分光器
３      偏波コントローラ（ＬＣＭ）
４      位相整形部
５      合波器
１１      モニタ部
１２、１３      光スプリッタ
２１      集積偏光板アレイ
２２      ＰＤアレイ
２４      プロセッサ
２５      チューナブルフィルタ
２６      集積偏光板
２７      ＰＤ素子
２８      回転波長板
２９      偏波ビームスプリッタ
３０      分光器
３１      補償制御部
５２      偏波モニタ部
５２ａ      光パワーモニタ
５２ｂ      ＤＯＰモニタ
１００、２００      偏波モード分散補償器
３００      偏波コントローラ
【図１】
2010273039.tif 000003
【図２】
2010273039.tif 000004
【図３】
2010273039.tif 000005
【図４】
2010273039.tif 000006
【図６】
2010273039.tif 000007
【図７】
2010273039.tif 000008
【図８】
2010273039.tif 000009
【図９】
2010273039.tif 000010
【図１０】
2010273039.tif 000011
【図１１】
2010273039.tif 000012
【図１２】
2010273039.tif 000013
【図１３】
2010273039.tif 000014
【図１４】
2010273039.tif 000015
【図１５】
2010273039.tif 000016
【図１６】
2010273039.tif 000017
【図１８】
2010273039.tif 000018
【図１９】
2010273039.tif 000019
【図２０】
2010273039.tif 000020
【図２２】
2010273039.tif 000021
【図２３】
2010273039.tif 000022
【図５】
2010273039.tif 000023
【図１７】
2010273039.tif 000024
【図２１】
2010273039.tif 000025